【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
（１）化学式１：ＬｉＭｂＰｃＯｄ
（式中、ＭはＴｉ，Ｆｅ，又はＣｏであり；１≦ｂ≦５、０≦ｃ≦１、２≦ｄ≦１２である）で表される化合物を集電体に被着して形成した負極と、
（２）Ｎｉの水酸化物又はオキシ水酸化物を集電体に被着して形成した正極と、
（３）アルカリ水溶液を有する電解質と、
を具備する蓄電デバイス。
【請求項２】
前記化学式１で表される化合物がＬｉＦｅＰＯ４である、請求項１に記載の蓄電デバイス。
【請求項３】
前記化学式１で表される化合物がＬｉ４Ｔｉ５Ｏ１２である、請求項１に記載の蓄電デバイス。
【請求項４】
前記化学式１で表される化合物がＬｉＣｏＯ２である、請求項１に記載の蓄電デバイス。
【請求項５】
前記負極が、表面を導電性物質で被覆されている前記化合物を集電体に被着して形成される、請求項１乃至４のいずれか１項に記載の蓄電デバイス。
【請求項６】
前記負極が、前記化合物と共に導電性物質を集電体に被着して形成される、請求項１乃至４のいずれか１項に記載の蓄電デバイス。
【請求項７】
前記負極が、電子導電性を有する多孔体に前記化合物を充填して形成される、請求項１乃至６のいずれか１項に記載の蓄電デバイス。
【請求項８】
前記電解質が、高分子にアルカリ水溶液を含浸又は保持させた電解質である、請求項１乃至７のいずれか１項に記載の蓄電デバイス。
【請求項９】
前記化学式１の金属元素Ｍが低次酸化状態であり、且つ、前記正極がＮｉのオキシ水酸化物を集電体に被着して形成される、請求項１乃至８のいずれか１項に記載の蓄電デバイス。
【手続補正２】
【補正対象書類名】明細書
【補正対象項目名】００２３
【補正方法】変更
【補正の内容】
【００２３】
具体的に、本発明は、
（１）化学式１：ＬｉＭｂＰｃＯｄ
（式中、ＭはＴｉ，Ｆｅ，又はＣｏであり；１≦ｂ≦５、０≦ｃ≦１、２≦ｄ≦１２である）で表される化合物を集電体に被着して形成した負極と、
（２）Ｎｉの水酸化物又はオキシ水酸化物を集電体に被着して形成した正極と、
（３）アルカリ水溶液を有する電解質と、
を具備する蓄電デバイスに関する。
【手続補正３】
【補正対象書類名】明細書
【補正対象項目名】００２４
【補正方法】変更
【補正の内容】
【００２４】
ニッケル−水素電池は、正極に水酸化ニッケル、負極にＬａＮｉ５系合金等の水素吸蔵合金を用いる。また、リチウムイオン電池は、正極にリチウムを含む金属酸化物、負極にグラファイト等の炭素材料、又は珪素材料等を用いることが一般的である。これに対して、本発明の蓄電デバイスは、負極に化学式１：ＬｉＭｂＰｃＯｄ
（式中、ＭはＴｉ，Ｆｅ，又はＣｏであり；１≦ｂ≦５、０≦ｃ≦１、２≦ｄ≦１２である）で表される化合物、正極にＮｉの水酸化物又はオキシ水酸化物を用いることを特徴とする。
【手続補正４】
【補正対象書類名】明細書
【補正対象項目名】００２８
【補正方法】変更
【補正の内容】
【００２８】
正極は、Ｎｉの水酸化物、又はオキシ水酸化物を主成分として含有していればよく、それら以外に導電性物質（導電材）、バインダ等の成分を含有してもよい。
【手続補正５】
【補正対象書類名】明細書
【補正対象項目名】００２９
【補正方法】変更
【補正の内容】
【００２９】
電解質は、アルカリ金属水酸化物水溶液等のアルカリ水溶液が用いられる。例えば、水酸化カリウム水溶液、水酸化ナトリウム水溶液等を使用し得る。
【手続補正６】
【補正対象書類名】明細書
【補正対象項目名】００３１
【補正方法】変更
【補正の内容】
【００３１】
化学式１の金属元素Ｍが低次酸化状態であり、且つ、前記正極がＮｉのオキシ水酸化物を集電体に被着して形成されることが好ましい。このような構成であることによって、電池組立直後において放電可能となる。 
【手続補正７】
【補正対象書類名】明細書
【補正対象項目名】００３３
【補正方法】変更
【補正の内容】
【００３３】
なお、化学式１の金属元素Ｍが高次酸化状態であり、且つ、前記正極がＮｉの水酸化物を集電体に被着して形成される場合には、電池組立後に充電しなければ放電させることができない。
【手続補正８】
【補正対象書類名】明細書
【補正対象項目名】００３８
【補正方法】変更
【補正の内容】
【００３８】
前記電解質は、高分子にアルカリ水溶液を含浸又は保持させた電解質であることが好ましい。
【手続補正９】
【補正対象書類名】明細書
【補正対象項目名】００４４
【補正方法】変更
【補正の内容】
【００４４】
上述したように、本発明の蓄電デバイスは、
（１）化学式１：ＬｉＭｂＰｃＯｄ
（式中、ＭはＴｉ，Ｆｅ，又はＣｏであり；１≦ｂ≦５、０≦ｃ≦１、２≦ｄ≦１２である）で表される化合物を集電体に被着して形成した負極と、
（２）Ｎｉの水酸化物又はオキシ水酸化物を集電体に被着して形成した正極と、
（３）アルカリ水溶液を有する電解質と、
を具備する。
【手続補正１０】
【補正対象書類名】明細書
【補正対象項目名】００５０
【補正方法】変更
【補正の内容】
【００５０】
負極化合物は、化学式１：ＬｉＭｂＰｃＯｄ
（式中、ＭはＴｉ，Ｆｅ，又はＣｏのいずれかの金属元素であり；１≦ｂ≦５、０≦ｃ≦１、２≦ｄ≦１２である）で表わされる。
【手続補正１１】
【補正対象書類名】明細書
【補正対象項目名】００６６
【補正方法】変更
【補正の内容】
【００６６】
正極は、レドックス可能な元素であるＮｉの水酸化物又はオキシ水酸化物からなる。なお、Ｎｉの水酸化物又はオキシ水酸化物以外に、導電性物質（導電材）、バインダ等の成分を含有してもよい。
【手続補正１２】
【補正対象書類名】明細書
【補正対象項目名】００６７
【補正方法】変更
【補正の内容】
【００６７】
電解質はプロトン電導性又は水酸化物イオン導電性を有する、アルカリ金属水酸化物水溶液等のアルカリ水溶液、例えば、水酸化カリウム水溶液、水酸化ナトリウム水溶液等を使用し得る。
【手続補正１３】
【補正対象書類名】明細書
【補正対象項目名】００６８
【補正方法】変更
【補正の内容】
【００６８】
電解質が液体（電解液）であるため、正極と負極を電池セル内で電気的に絶縁するために、高分子にアルカリ電解液を含浸又は保持させることが好ましい。高分子としては、ポリアミド、ポリエチレン、ポリプロピレン、ポリビニルアルコール、セロファン、ポリアクリル酸ソーダ等の高分子若しくはこれらの複合高分子、弱酸性陽イオン交換樹脂を使用し得る。また、これら高分子に親水化処理を施した材料も使用し得る。高分子又はセラミックスは、電極の形状に応じて、織布、不織布、膜状等の適切な形状を選択することができる。電解液にリチウムイオンが含有されている必要はないが、高率放電特性を低下させない濃度であれば、電解液中にリチウムイオンが含有されてもよい。
【手続補正１４】
【補正対象書類名】明細書
【補正対象項目名】００３７
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００５１
【補正方法】削除
【補正の内容】
【手続補正１８】
【補正対象書類名】明細書
【補正対象項目名】００５２
【補正方法】削除
【補正の内容】
【手続補正１９】
【補正対象書類名】明細書
【補正対象項目名】００５３
【補正方法】削除
【補正の内容】